(57)【要約】【課題】足を楽な状態にして爪を研磨しやすくした爪研磨装置を提供する。【解決手段】足を載せる足支持板７の裏面に足の指先を円形に覆うとともに指先の爪を前方に突出させる指先保護板１２を取り付け、回転する砥石１８で爪を研磨する爪研磨装置において、足支持板７の傾斜角度を調節可能とし、指先保護板７を挟持する指先保護板保持部材１３を、揺動自在で且つ水平方向に移動自在に支持する。【選択図】　　図６
2004000436.tif 000002
【特許請求の範囲】
【請求項１】
足を載せる足支持板の裏面に足の指先を円形に覆うとともに指先の爪を前方に突出させる指先保護板を取り付け、回転する砥石で爪を研磨する爪研磨装置において、前記足支持板の傾斜角度が調節可能であることを特徴とする爪研磨装置。
【請求項２】
前記指先保護板を挟持する指先保護板保持部材が揺動自在で且つ水平方向に移動自在に支持されていることを特徴とする請求項１記載の爪研磨装置。
【請求項３】
前記指先保護板を挟持する指先保護板保持部材が、その一端に設けた球体を介して揺動自在に支持されていることを特徴とする請求項２記載の爪研磨装置。
【請求項４】
前記指先保護板を挟持する指先保護板保持部材が、両端に球体を有する連結体を介して揺動自在に支持されていることを特徴とする請求項２記載の爪研磨装置。
【請求項５】
前記足支持板の表面に、足のかかとを支持するかかと支持部材を上下方向にスライド可能に取り付け、前記かかと支持部材の上下方向の位置が調節可能であることを特徴とする請求項１〜４の何れか１項に記載の爪研磨装置。
【請求項６】
前記かかと支持部材に、足裏を支持する足裏支持板を上下方向にスライド可能に取り付け、前記足裏支持板の上下方向の位置が調節可能であることを特徴とする請求項５記載の爪研磨装置。
【請求項７】
請求項１〜６の何れか１項に記載の爪研磨装置が、椅子と間隔調整自在に接続された足載せ台の上に取り付けられていることを特徴とする爪研磨装置。
【発明の詳細な説明】
【０００１】
【発明の属する技術分野】
本発明は、足の爪を、楽な姿勢で指先を傷付けずに削ったり磨いたりする爪研磨装置に関する。
【０００２】
【従来の技術】
爪切りを用いて足の爪を切るとき、爪の裏側が見えにくく、爪の裏側と指先の境目の判断ができずに、いわゆる深爪を切ることが多々ある。そうすると、爪の切り口が指先の皮膚に食い込み、後に爪の間の傷などから細菌が入って化膿し、炎症を起こしたり、爪切り直後、スポーツ等を行うことで爪先に圧力がかかり、指先の皮膚を痛め、疾患の原因となることがよく起こる。
【０００３】
その原因は、爪切り後の爪の手入れの仕方に問題がある。外側の表面の爪は爪ヤスリで簡単に削り、手入れができるが、問題なのは内側の爪の手入れである。爪ヤスリを無理に使用すると逆に皮膚を傷付けてしまい、手入れの方法がない。そこで、本出願人は、指先の爪の内側の爪の切り口を皮膚を傷付けることなく爪先の内側と外側を丸く削ることを可能にした爪研削機を特許文献１で開示した。この爪研削機は、図１５に示すように、支持台５１に足を載せ、爪研削機の指先保護板５２に足の指先を当て、爪が指先保護板５２の上に被さるようにし、さらに指先を指先保護板５２に押し付ける。その状態で、電動砥石５３の砥石５６を回転させながら、爪の下の部分を削っていく。このとき、揺動支持アーム５４を、支持金具５９を中心にして揺動させることにより、爪の輪郭に沿って円形に削ることができる。細かい研削は、電動砥石５３を揺動支持アーム５４から取り外して、手動で行うことができる。砥石５６は、荒削り用と仕上げ用で数種類用意しておき、それらを取り替えて使用できるようにすることができる。この削り作業のとき、砥石５６が指先の皮膚に直接当たらないので、指先を傷付けることがなく、爪のみを削ることができ、また指先保護板５２から前方に出ている部分のみが削られるので、深爪になることはない。
【０００４】
【特許文献１】
特開２００２−２８０２５号公報
【０００５】
【発明が解決しようとする課題】
しかしながら、前述の特許文献１の爪研削機は、足を載せる支持台が水平であるために足を研磨しやすい楽な状態に維持しにくく、また、指先保護板が高さ方向に調節できるだけであるため、指先にフィットしにくい場合があった。
【０００６】
そこで、本発明は、足を楽な状態にして爪を研磨しやすくした爪研磨装置を提供するものである。
【０００７】
【課題を解決するための手段】
本発明の爪研磨装置は、足を載せる足支持板の裏面に足の指先を円形に覆うとともに指先の爪を前方に突出させる指先保護板を取り付け、回転する砥石で爪を研磨する爪研磨装置において、前記足支持板の傾斜角度が調節可能であることを特徴とする。
【０００８】
前記指先保護板を挟持する指先保護板保持部材は揺動自在で且つ水平方向に移動自在に支持することもでき、このとき、指先保護板保持部材は、その一端に設けた球体又は両端に球体を有する連結体を介して揺動自在に保持することができる。また、前記足支持板の表面に、足のかかとを支持するかかと支持部材を上下方向にスライド可能に取り付け、前記かかと支持部材の上下方向の位置を調節可能とすることができる。前記かかと支持部材に、足裏を支持する足裏支持板を上下方向にスライド可能に取り付け、前記足裏支持板の上下方向の位置を調節可能とすることもできる。さらに、爪研磨装置を椅子と間隔調整自在に接続された足載せ台の上に取り付けることもできる。
【０００９】
【発明の実施の形態】
図１は本発明の爪研磨装置を取り付けた足載せ台と椅子をセットにした状態を示す正面図である。図１において、爪研磨装置１を取り付けた足載せ台２と椅子３とは、連結部材４により両者の間隔を調節できるように連結されている。両者の間隔の調整は、連結部材４に間隔をおいて設けられた孔４ａのうち、所定の孔にピン（図示せず）を差し込んで足載せ台２を固定することによって行う。椅子３と足載せ台２の間隔を調整することにより、座った状態で足を伸ばして楽な姿勢で爪を研磨することができる。
【００１０】
図２は爪研磨装置を裏面から見た図で、説明のため指先保護板保持具を除いた図である。図１及び図２において、基板５の両側に対向して一対の側板６が立設されている。側板６の間には表側に足を載せて支持する足支持板７が配置され、足支持板７の裏面に指先保護板保持装置８が取り付けられ、足支持板７の下端は、蝶番７ａで傾動自在に基板５の一端に接続されている。
【００１１】
側板６には、傾動した足支持板７を所定の傾斜角度に保持するために、保持ピン６ａを差し込む孔６ｂが間隔をおいて形成されている。足支持板７を傾動させて側板６に保持ピン６ａで保持することにより、足支持板７に載せた足首を楽な状態にセットすることが可能となる。なお、本実施例では、側板６の孔６ｂに保持ピン６ａを差し込んで足支持板７の傾斜角度を調整しているが、足支持板に斜めに長さ調節可能な支持棒で支えて長さを調節して傾斜角度を調節することもでき、要は、足支持板を所定の傾斜角度に調整できる構造にすればよい。
【００１２】
図３は指先保護板保持装置の平面図、図４は同斜視図である。図２、図３及び図４において、指先保護板保持装置８は足支持板７の裏面に支持フレーム９により取り付けられる。支持フレーム９の対向する一対の側フレーム９ａの間には指先保護板保持具１０を支持し左右に移動させる際の案内となる支持案内部材１１が掛け渡されている。指先保護板保持具１０は移動後、ネジ１１ａを締めることにより固定することができる。
【００１３】
指先保護板保持具１０には、指先保護板１２を挟んでネジ１３ａで固定する指先保護板保持部材１３が揺動自在に支持されている。指先保護板１２を揺動自在に支持する構造として、本実施例では、指先保護板保持部材１３の一端に設けられた球体１４を先端がすり鉢状に形成された一対の挟持部材１５で挟んで球体１４の球面の一部に合致させ、一方の挟持部材１５には球体１４を他方の挟持部材１５押し付けるスプリング１６、例えばコイルバネを設けて指先保護板保持部材１３が任意の位置に停止するようにする。指先保護板１２を揺動自在に支持する構造により、指先保護板１２を自由に動かして爪の下側の指先にフィットさせることができる。
【００１４】
図５（ａ）は本発明で使用する指先保護板の斜視図、（ｂ）はＡ−Ａ断面図、（ｃ）はＢ−Ｂ断面図である。指先保護板保持部材１３に挟持する指先保護板１２は、Ｌ字形に形成され、指先保護板保持部材１３は、図５（ｃ）に示すように平板状であり、指先を円形に覆うとともに指先の爪を前方に突出させて指先を保護する指先保護部１２ａが指先の形状に合わせて、図５（ｂ）に示すように円弧状に形成されている。
【００１５】
次に本発明の爪研磨装置により爪を研磨する動作の一例について説明する。
【００１６】
図６は本発明の指先保護板保持装置の使用状態を示す側面図である。図１において、椅子に腰掛けて足載せ台２の間隔を調整した後、連結部材４に足載せ台２をピンにより固定する。その後、足を爪研磨装置１の足支持板７に当てて傾動させながら楽な状態の位置で固定する。
【００１７】
次いで、図６において、足の指にあわせ、指先保護板保持具１０を支持案内部材１１に沿って移動させ、ネジ１１ａで固定する。その後、指先保護板保持具１０を起こし、指先保護板１２を指先保護板保持部材１３に挟み、指先保護板１２の先端を指先に当ててセットした後、指先保護板保持部材１３のネジ１３ａを閉めて指先保護板１２を固定する。
【００１８】
以上の動作が完了した後、砥石１８を設けた研磨機１７により爪を研磨していく。研磨する爪の位置により、指先保護板保持部材１３を揺動させて位置決めして研磨を行う。
【００１９】
図７は指先保護板保持装置の別の実施例を示す分解斜視図、図８は同斜視図、図９はこの指先保護板保持装置を足支持板の裏面の取り付けた状態の側面図である。図７、図８及び図９において、指先保護板保持装置８は足支持板７の裏面に支持フレーム９により取り付けられる。支持フレーム９には指先保護板保持具１０を支持し左右に移動させる際の案内となる支持案内部材１１が設けられている。指先保護板保持具１０は、支持案内部材１１のレール１１ａに沿って左右に移動可能であり、移動後、ネジ１１ｂを締めることにより固定することができる。
【００２０】
指先保護板保持具１０の基板１９には、指先保護板１２を挟んでネジ１３ａで固定する指先保護板保持部材１３が揺動自在に支持されている。指先保護板保持部材１３を揺動自在に支持する構造として、本実施例では、両端に球体２０ａ、２０ｂを有する連結体２０を使用している。
【００２１】
具体的には、一方の球体２０ａは球体保持部材２１内に装着され、この球体保持部材２１に、指先保護板保持部材１３の貫通孔１３ｂを挿通させた円筒体２２が螺合される。円筒体２２内には保持ピン２２ａ及びスプリング２２ｂが装着され、ネジ２２ｃを締めることによって保持ピン２２ａが球体２０ａに押し付けられる。円筒体２２は、テーパ部１３ｄを有するネジ１３ｃを締め込み、そのテーパ部１３ｄを貫通孔１３ｂの内周面に設けた孔１３ｅから突出させることによって貫通孔１３ｂ内の任意の位置に固定される。
【００２２】
他方の球体２０ｂも同様に、球体保持部材２３内に装着され、この球体保持部材２３に、基板１９の貫通孔１９ａを挿通させた円筒体２４が螺合される。円筒体２４内には保持ピン２４ａ及びスプリング２４ｂが装着され、ネジ２４ｃを締めることによって保持ピン２４ａが球体２０ｂに押し付けられる。円筒体２４は、テーパ部１９ｃを有するネジ１９ｂを締め込み、そのテーパー部１９ｃを貫通孔１９ａの内周面に設けた孔１９ｄから突出させることによって貫通孔１９ａ内の任意の位置に固定される。
【００２３】
図１０は本実施例の指先保護板保持装置の使用状態を示す要部の断面図である。先に説明したように本実施例の指先保護板保持装置では、指先保護板保持部材１３が、両端に球体２０ａ、２０ｂを有する連結体２０を介して基板１９に連結されているので、先の実施例のものよりも、より一層自由に揺動させることができる。揺動させた後は、ネジ２２ｃ及びネジ２４ｃを強く締めることによって、その位置に停止させることができる。さらに、本実施例では、円筒体２２が指先保護板保持部材１３の貫通孔１３ｂ内の任意の位置に固定可能であり、円筒体２４も基板１９の貫通孔１９ａ内の任意の位置に固定可能であるので、指先保護板保持部材１３の水平及び垂直方向の位置も調節することができる。このように、本実施例では、指先保護板保持部材１３に挟持された指先保護板１２の位置を自由自在に調節し、位置決めすることができる。
【００２４】
図１１は本発明の爪研磨装置の別の実施例を示す斜視図、図１２は同正面図、図１３は側板を省略した状態の側面図である。この実施例は、足支持板７の表面に、足のかかとを支持するかかと支持部材２５を上下方向にスライド可能に取り付け、かかと支持部材２５の上下方向の位置を調節できるようにしたものである。
【００２５】
図１１〜図１３において、かかと支持部材２５はＬ字形に形成され、その下側が、直接的にかかとを支持するかかと支持部２５ａとなっている。一方、足支持板７の表面中央部には、両側部にスライド溝２６ａ，２６ａを有する案内部材２６が、足支持板７の表面と面一となるように取り付けられている。そして、案内部材２６のスライド溝２６ａ，２６ａにかかと支持部材２５の基板２５ｂの両端を挿通させることによって、かかと支持部材２５が案内部材２６の長手方向に沿って上下方向にスライド可能となっている。また、かかと支持部材２５の上下方向のスライドを円滑にするために、案内部材２６の中央部には長手方向に沿って案内凸条２６ｂが形成され、この案内凸条２６ｂに、かかと支持部材２５の基板２５ｂに形成された溝部２５ｃが嵌合されている。
【００２６】
さらに、かかと支持部材２５の上下方向の位置を調節可能とするために、足支持板７には案内部材２５の両側部近傍に、それぞれ孔７ｂが上下方向に間隔をおいて形成されている。かかと支持部材２５を所定の高さ位置に調整した後、孔７ｂに保持ピン７ｃを差し込むことによって、かかと支持部材２５のかかと支持部２５ａの下面が保持ピン７ｃに支持され、かかと支持部材２５を所定の高さ位置に固定することができる。
【００２７】
図１４は、本発明の爪研磨装置のさらに別の実施例を示す斜視図である。この実施例は、かかと支持部材２５の表面に、爪研磨の際に足裏を載置して支持するための足裏支持板２７を上下方向にスライド可能に取り付け、足裏支持板２７の上下方向の位置を調節できるようにしたものである。
【００２８】
足裏支持板２７は、磁石（硬磁性材料）からなり、その先端は足先の輪郭に合わせて円弧状に形成されている。すなわち、右足の爪の研磨を行うときには足裏支持板２７の右半分に右足を載置し、左足の爪の研磨を行うときには足裏支持板２７の左半分に左足を載置する。
【００２９】
かかと支持部材２５はフェライト系ステンレス鋼等の軟磁性材料からなり、足裏支持板２７のスライド幅を確保するために、足支持板７に沿う辺の長さを先の実施例のものよりも長く形成している。その他の構成は、先の実施例のものと同一である。
【００３０】
以上のように本実施例では、かかと支持部材２５を軟磁性材料により、足裏支持板２７を磁石により形成している。したがって、かかと支持部材２５と足裏支持板２７との間には磁力による引力が作用し、その磁力の強さを適当に調節することにより、かかと支持部材２５に対して足裏支持板２７を上下方向にスライド可能とし、かつ足裏支持板２７の位置を図１４に示すように爪研磨に都合のよい高さ位置に固定することができる。また、爪研磨の際には、足裏支持板２７に足を載置して支持することができるので、安定した姿勢で爪研磨を行うことができる。
【００３１】
なお、実施例では、かかと支持部材２５を軟磁性材料、足裏支持板２７を磁石としたが、その逆の組合せにしてもよい。また、軟磁性材料と磁石の組合せにより、足裏支持板を上下方向にスライド可能とする代わりに、かかと支持部材に図１１〜図１３に示した実施例のようなスライド溝を設け、そのスライド溝に足裏支持板を上下方向にスライド可能に取り付け、保持ピンによりその高さ位置を固定できるようにしてもよい。
【００３２】
【発明の効果】
本発明では、足支持板の傾斜角度を調整することができるので、足支持板に載せた足首を楽な状態にセットして爪を研磨することができる。
【００３３】
また、指先保護板を挟持する指先保護板保持部材を、その一端に設けた球体又は両端に球体を有する連結体を介して揺動自在に支持することにより、指先保護板を自由に動かして爪の下側の指先にフィットさせることができる。
【００３４】
さらに、足支持板の表面に、足のかかとを支持するかかと支持部材を上下方向にスライド可能に取り付け、かかと支持部材の上下方向の位置を調節可能としたり、足支持板を備える爪研磨装置が取り付けられた足載せ台と椅子とを間隔調整自在に接続することにより、足を楽な状態にして爪を研磨することができる。
【００３５】
また、かかと支持部材に足裏支持板を上下方向にスライド可能に取り付け、足裏支持板の上下方向の位置を調節可能にすることにより、足を安定した姿勢にして爪研磨を行うことができる。
【図面の簡単な説明】
【図１】本発明の爪研磨装置を取り付けた足載せ台と椅子をセットにした状態を示す正面図である。
【図２】本発明の爪研磨装置を裏面から見た図である。
【図３】本発明の指先保護板保持装置の平面図である。
【図４】本発明の指先保護板保持装置の斜視図である。
【図５】本発明で使用する指先保護板の斜視図である。
【図６】本発明の指先保護板保持装置の使用状態を示す側面図である。
【図７】本発明の指先保護板保持装置の別実施例の分解斜視図である。
【図８】本発明の指先保護板保持装置の別実施例の斜視図である。
【図９】別実施例の指先保護板保持装置を足支持板の裏面の取り付けた状態の側面図である。
【図１０】別実施例の指先保護板保持装置の使用状態を示す要部の断面図である。
【図１１】本発明の爪研磨装置の別の実施例を示す斜視図である。
【図１２】図１１に示す爪研磨装置の正面図である。
【図１３】図１１に示す爪研磨装置の側板を省略した状態の側面図である
【図１４】本発明の爪研磨装置のさらに別の実施例を示す斜視図である。
【図１５】従来の爪研削機の一例を示す図である。
【符号の説明】
１：爪研磨装置　２：足載せ台　３：椅子　４：連結部材　４ａ：孔　５：基板
６：側板　６ａ：保持ピン　６ｂ：孔　７：足支持板　７ａ：蝶番　７ｂ：孔
７ｃ：保持ピン　８：指先保護板保持装置　９：支持フレーム　９ａ：側フレーム　１０：指先保護板保持具　１１：支持案内部材　１１ａ：ネジ　１２：指先保護板　　１２ａ：指先保護部　１３：指先保護板保持部材　１３ａ：ネジ　１３ｂ：貫通孔　１３ｃ：ネジ　１３ｄ：テーパー部　１３ｅ：孔　１４：球体
１５：挟持部材　１６：スプリング　１７：研磨機　１８：砥石　１９：基板
１９ａ：貫通孔　１９ｂ：ネジ　１９ｃ：テーパー部　１９ｄ：孔　２０：連結体　２０ａ、２０ｂ：球体　２１：球体保持部材　２２：円筒体　２２ａ：保持ピン　２２ｂ：スプリング　２２ｃ：ネジ　２３：球体保持部材　２４：円筒体
２４ａ：保持ピン　２４ｂ：スプリング　２４ｃ：ネジ　２５：かかと支持部材　２５ａ：かかと支持部　２５ｂ：基板　２５ｃ：溝部２５ｃ　２６：案内部材　２６ａ：スライド溝　２６ｂ：案内凸条　２７：足裏支持板　５２：指先保護板　５３：電動砥石　５４：揺動支持アーム　５６：砥石　５９：支持金具
【図１】
2004000436.tif 000003
【図２】
2004000436.tif 000004
【図３】
2004000436.tif 000005
【図４】
2004000436.tif 000006
【図５】
2004000436.tif 000007
【図６】
2004000436.tif 000008
【図７】
2004000436.tif 000009
【図８】
2004000436.tif 000010
【図９】
2004000436.tif 000011
【図１０】
2004000436.tif 000012
【図１１】
2004000436.tif 000013
【図１２】
2004000436.tif 000014
【図１３】
2004000436.tif 000015
【図１４】
2004000436.tif 000016
【図１５】
2004000436.tif 000017